(57)【要約】【課題】簡易な構成で長さを調整することができるカップリングガードを提供する。【解決手段】原動機２の駆動軸５と回転機械３の回転軸７とを連結するカップリング１０を覆うための、本発明のカップリングガード１は、上側半円筒部材１５および下側半円筒部材１６を備え、上側半円筒部材１５と下側半円筒部材１６とを連結する締結具２３，２４を有するガード本体１３と、ガード本体１３を支持するガード脚部１７と、ガード本体１３に挿入された円筒形状の長さ調整部材１１と、を備える。長さ調整部材１１の外周面１２ｇは、締結具２３，２４によって連結された上側半円筒部材１５と下側半円筒部材１６の内周面１５ｅ，１６ｅによって締め付けられる。【選択図】図２
2016205445.tif 000002
【特許請求の範囲】
【請求項１】
原動機の駆動軸と回転機械の回転軸とを連結するカップリングを覆うためのカップリングガードであって、
上側半円筒部材および下側半円筒部材を備え、前記上側半円筒部材と前記下側半円筒部材とを連結する締結具を有するガード本体と、
前記ガード本体を支持するガード脚部と、
前記ガード本体に挿入された円筒形状の長さ調整部材と、を備え、
前記長さ調整部材の外周面は、前記締結具によって連結された前記上側半円筒部材と前記下側半円筒部材の内周面によって締め付けられていることを特徴とするカップリングガード。
【請求項２】
前記長さ調整部材は、
円筒形状に曲げられた１枚の板材と、
前記板材の両端にそれぞれ形成された突出部と、
前記突出部を互いに固定する固定機構とを有することを特徴とする請求項１に記載のカップリングガード。
【請求項３】
前記突出部は、円筒形状の前記板材の径方向外側に向かって延びて互いに接触し、
前記板材の両端は互いに当接していることを特徴とする請求項２に記載のカップリングガード。
【請求項４】
前記固定機構は、前記突出部に形成された貫通孔に挿入されたボルトと、前記ボルトに係合するナットとを有することを特徴とする請求項２または３に記載のカップリングガード。
【請求項５】
前記長さ調整部材を支持する支持脚部がさらに設けられ、
前記支持脚部は、前記突出部に固定されることを特徴とする請求項２乃至４のいずれか一項に記載のカップリングガード。
【請求項６】
前記固定機構は、前記突出部に形成された互いに係合する切り欠きから構成されていることを特徴とする請求項２に記載のカップリングガード。
【請求項７】
前記長さ調整部材は、少なくとも２つの分割体を連結して円筒形状に形成されていることを特徴とする請求項１に記載のカップリングガード。
【請求項８】
前記板材は、金属から構成されることを特徴とする請求項２に記載のカップリングガード。
【発明の詳細な説明】
【技術分野】
【０００１】
本発明は、ポンプなどの回転機械の回転軸を、モータなどの原動機の駆動軸と連結するためのカップリングを覆うカップリングガードに関する。
【背景技術】
【０００２】
回転機械の回転軸を、カップリング（軸継手）を介して原動機の駆動軸に連結して、駆動軸を回転させることにより、回転軸を回転させる機械装置が知られている。このような機械装置は、例えば、ポンプ装置である。ポンプ装置は、原動機であるモータと回転機械であるポンプとを有し、モータの駆動軸は、ポンプの回転軸にカップリングを介して連結される。ポンプ装置では、モータの駆動軸のトルクがカップリングを介してポンプの回転軸に伝達され、これにより、回転軸に固定された羽根車が回転される。
【０００３】
高速回転するカップリング、ポンプの回転軸の露出部分、およびモータの駆動軸の露出部分に人間が接触しないように、通常、カップリングおよび該カップリングの周辺を覆うカップリングガードが設けられる。
【先行技術文献】
【特許文献】
【０００４】
【特許文献１】特開２０１４−１７３６８０号公報
【発明の概要】
【発明が解決しようとする課題】
【０００５】
規格化された同一のポンプおよび同一のモータが用いられるポンプ装置の場合、ポンプとモータの間の距離は常に一定であるため、規格化された同一のカップリングガードを用いることができる。しかしながら、ユーザーの要望によって、規格化されたモータとは異なるモータが用いられることがある。この場合、ポンプとモータとの間の距離が変わってしまうため、規格化されたカップリングガードでは、露出した回転軸および／または駆動軸を覆うことができないことがあった。この問題は、ポンプ装置だけでなく、回転機械の回転軸をカップリングを介して原動機の駆動軸に連結させる全ての機械装置で発生し得る。
【０００６】
本発明は、上述の事情に鑑みてなされたもので、簡易な構成で長さを調整することができるカップリングガードを提供することを目的とする。
【課題を解決するための手段】
【０００７】
上述した目的を達成するために、本発明の一態様は、原動機の駆動軸と回転機械の回転軸とを連結するカップリングを覆うためのカップリングガードであって、上側半円筒部材および下側半円筒部材を備え、前記上側半円筒部材と前記下側半円筒部材とを連結する締結具を有するガード本体と、前記ガード本体を支持するガード脚部と、前記ガード本体に挿入された円筒形状の長さ調整部材と、を備え、前記長さ調整部材の外周面は、前記締結具によって連結された前記上側半円筒部材と前記下側半円筒部材の内周面によって締め付けられていることを特徴とするカップリングガードである。
【０００８】
本発明の好ましい態様は、前記長さ調整部材は、円筒形状に曲げられた１枚の板材と、前記板材の両端にそれぞれ形成された突出部と、前記突出部を互いに固定する固定機構とを有することを特徴とする。
本発明の好ましい態様は、前記突出部は、円筒形状の前記板材の径方向外側に向かって延びて互いに接触し、前記板材の両端は互いに当接していることを特徴とする。
本発明の好ましい態様は、前記固定機構は、前記突出部に形成された貫通孔に挿入されたボルトと、前記ボルトに係合するナットとを有することを特徴とする。
【０００９】
本発明の好ましい態様は、前記長さ調整部材を支持する支持脚部がさらに設けられ、前記支持脚部は、前記突出部に固定されることを特徴とする。
本発明の好ましい態様は、前記固定機構は、前記突出部に形成された互いに係合する切り欠きから構成されていることを特徴とする。
本発明の好ましい態様は、前記長さ調整部材は、少なくとも２つの分割体を連結して円筒形状に形成されていることを特徴とする。
本発明の好ましい態様は、前記板材は、金属から構成されることを特徴とする。
【発明の効果】
【００１０】
本発明によれば、長さ調整部材の外周面をガード本体の内周面で締め付けるだけの簡易な構成であるので、カップリングガードの長さを容易に調整することができる。さらに、長さ調整部材をガード本体に任意の位置で固定することができるので、カップリングガードの長さを無段階に調整することができる。
【図面の簡単な説明】
【００１１】
【図１】本発明の一実施形態に係るカップリングガードを備えたポンプ装置の概略斜視図である。
【図２】図１に示されるカップリングガードの側面図である。
【図３】図２のＡ−Ａ線断面図である。
【図４】図４（ａ）は、一実施形態に係る長さ調整部材の正面図であり、図４（ｂ）は、図４（ａ）に示される長さ調整部材の側面図である。
【図５】図４（ａ）および図４（ｂ）に示される長さ調整部材を構成する板材を示す模式図である。
【図６】カップリングガードの組立途中の状態を示す斜視図である。
【図７】長さ調整部材を支持する支持脚部の斜視図である。
【図８】図７に示される支持脚部が長さ調整部材に取り付けられた状態を示す模式図である。
【図９】図９（ａ）は、別の実施形態に係る長さ調整部材の正面図であり、図９（ｂ）は、図９（ａ）に示される長さ調整部材の側面図である。
【図１０】図９（ａ）および図９（ｂ）に示される長さ調整部材を構成する板材を示す模式図である。
【図１１】図１１（ａ）は、さらに別の実施形態に係る長さ調整部材の正面図であり、図１１（ｂ）は、図１１（ａ）に示される長さ調整部材の側面図である。
【発明を実施するための形態】
【００１２】
以下、本発明の実施形態について図面を参照して説明する。
図１は、本発明の一実施形態に係るカップリングガード１を備えたポンプ装置１００の概略斜視図である。ポンプ装置１００は、原動機であるモータ２と、回転機械であるポンプ３とを備えている。モータ２およびポンプ３は、ベース８上に固定されている。モータ２の駆動軸５は、モータ２のモータケーシング２ａからポンプ３に向かって延びており、ポンプ３の回転軸７は、ポンプ３のポンプケーシング３ａからモータ２に向かって延びている。モータ２の駆動軸５は、カップリング（軸継手）１０を介してポンプ３の回転軸７に連結される。本実施形態では、ポンプ３の回転軸７の中心軸線は、モータ２の駆動軸５の中心軸線と一直線に並んでいる。
【００１３】
カップリング１０、モータ２の駆動軸５の露出部分、およびポンプ３の回転軸７の露出部分は、カップリングガード１によって覆われる。以下、図２および図３を参照して、カップリングガード１について説明する。図２は、図１に示されるカップリングガード１の側面図であり、図３は、図２のＡ−Ａ線断面図である。カップリングガード１は、円筒形状のガード本体１３と、該ガード本体１３を支持する２つのガード脚部１７とを備える。図２では、円筒形状のガード本体１３と、ポンプ３の回転軸７と、モータ２の駆動軸５の共通の中心軸線は、符号ＣＬが付された二点鎖線で描かれている。
【００１４】
ガード本体１３は、上側半円筒部材１５と、該上側半円筒部材１５と着脱可能な下側半円筒部材１６と、上側半円筒部材１５と下側半円筒部材１６とを連結する締結具としてのボルト２３およびナット２４とを備えている。上側半円筒部材１５の下端には、該下端から上側半円筒部材１５の径方向外側に突出する４つの上側フランジ部１５ａ，１５ｂ，１５ｃ，１５ｄが形成されている。図２では２つの上側フランジ部１５ａ，１５ｂのみが描かれているが、これら上側フランジ部１５ａ，１５ｂの反対側に上側フランジ部１５ｃ，１５ｄが形成されている。
【００１５】
下側半円筒部材１６の上端には、該上端から下側半円筒部材１６の径方向外側に突出する４つの下側フランジ部１６ａ，１６ｂ，１６ｃ，１６ｄが形成されている。下側フランジ部１６ａ，１６ｂ，１６ｃ，１６ｄは、上側フランジ部１５ａ，１５ｂ，１５ｃ，１５ｄにそれぞれ対応する位置に形成される。上側フランジ部１５ａ，１５ｂ，１５ｃ，１５ｄと下側フランジ部１６ａ，１６ｂ，１６ｃ，１６ｄとを、ボルト２３および該ボルト２３に係合するナット２４によって固定することにより、上側半円筒部材１５と下側半円筒部材１６とが互いに連結される。ボルト２３とナット２４の係合を解除すれば、上側半円筒部材１５と下側半円筒部材１６とを分離することができる。
【００１６】
各ガード脚部１７は、ガード脚部本体１７ａと固定部１７ｂとを有する。本実施形態では、ガード脚部１７は、上側半円筒部材１５と一体的に形成されており、ガード脚部本体１７ａは、上側半円筒部材１５の下端から下方に延びる平板である。固定部１７ｂは、カード脚部本体１７ａの下端から水平方向に、かつ中心軸線ＣＬから離れる方向に延びる。固定部１７ｂには、ガード脚部１７をベース８に固定するための長孔１７ｃが形成されており、長孔１７ｃは、中心軸線ＣＬと平行に延びる。長孔１７ｃに挿入されたボルト２８をベース８に形成されたねじ孔に係合させることで、ガード脚部１７がベース８に固定される。
【００１７】
カップリングガード１は、さらに、中心軸線ＣＬ方向におけるカップリングガード１の長さを調整するための長さ調整部材１１を有する。長さ調整部材１１は、その一部がガード本体１３に挿入された状態で、ガード本体１３に固定される。以下、図４（ａ）、図４（ｂ）、および図５を参照して、長さ調整部材１１について説明する。図４（ａ）は、一実施形態に係る長さ調整部材１１の正面図であり、図４（ｂ）は、図４（ａ）に示される長さ調整部材１１の側面図であり、図５は、図４（ａ）および図４（ｂ）に示される長さ調整部材を構成する板材を示す模式図である。
【００１８】
図４（ａ）および図４（ｂ）に示されるように、長さ調整部材１１は円筒形状を有する。長さ調整部材１１は、円筒形状に曲げられた１枚の板材１２と、板材１２の両端１２ａ，１２ｂにそれぞれ形成された突出部１２ｃ，１２ｄと、これら突出部１２ｃ，１２ｄを互いに固定する固定機構２０とを有している。図５に示される矩形状の板材１２は円筒形状に曲げられて、板材１２の両端１２ａ，１２ｂは互いに当接している。突出部１２ｃ，１２ｄは、板材１２の両端１２ａ，１２ｂに接続されている。突出部１２ｃ，１２ｄは、板材１２と一体に形成されている。
【００１９】
図４（ａ）および図４（ｂ）に示されるように、突出部１２ｃ，１２ｄは、円筒形状に曲げられた板材１２およびガード本体１３の径方向外側に向かって延びて互いに接触している。固定機構２０は、突出部１２ｃ，１２ｄにそれぞれ形成された貫通孔１２ｅ，１２ｆ（図５参照）に挿入されるボルト２１と、該ボルト２１に係合するナット２２とを備えている。
【００２０】
図４（ｂ）に示されるように、突出部１２ｃ，１２ｄの、中心軸線ＣＬの方向の長さＬ２は、板材１２の、中心軸線ＣＬの方向の長さＬ１よりも短い。突出部１２ｃ，１２ｄが形成されていない板材１２の部分がガード本体１３に挿入され、保持される部分であり、その長さＬ３は、カップリングガード１の長さを調整できる距離に相当する。
【００２１】
図５に示す矩形状の板材１２を円筒形状に形成する際に、突出部１２ｃ，１２ｄは、外側に折り曲げられて、互いに接触する（図４（ａ）参照）。突出部１２ｃと突出部１２ｄが接触しているとき、両端１２ａ，１２ｂは互いに当接している。突出部１２ｃに形成された貫通孔１２ｅは突出部１２ｄに形成された貫通孔１２ｆと同じ位置にあり、ボルト２１を貫通孔１２ｅおよび貫通孔１２ｆに挿入することができる。貫通孔１２ｅおよび貫通孔１２ｆに挿入されたボルト２１をナット２２で締め付けることにより、板材１２の円筒形状が維持される。
【００２２】
次に、カップリングガード１の組立方法について説明する。まず、下側半円筒部材１６をカップリング１０の下方に配置する。次いで、上側半円筒部材１５と一体に形成された２つのガード脚部１７のうちの一方を、下側半円筒部材１６の下側フランジ部１６ａ，１６ｂの間に挿入し、他方のガード脚部１７を下側半円筒部材１６の下側フランジ部１６ｃ，１６ｄ（図６参照）の間に挿入する。下側半円筒部材１６を上側半円筒部材１５に向かって移動させ、下側フランジ部１６ａ，１６ｂ，１６ｃ，１６ｄを上側フランジ部１５ａ，１５ｂ，１５ｃ，１５ｄに接触させる。上側フランジ部１５ａ，１５ｂ，１５ｃ，１５ｄと、下側フランジ部１６ａ，１６ｂ，１６ｃ，１６ｄとにボルト２３をそれぞれ挿入し、ボルト２３にナット２４を係合させる。このとき、上側半円筒部材１５と下側半円筒部材１６との間に隙間が形成されるように、ナット２４をボルト２３に緩く係合させる。この状態が図６に示される。図６に示されるように、上側半円筒部材１５と下側半円筒部材１６との間には、鉛直方向の隙間ｔ１が形成されている。
【００２３】
次に、長さ調整部材１１の固定機構２０を構成するボルト２１からナット２２を取り外して突出部１２ｃ，１２ｄを互いに離間させ、突出部１２ｃ，１２ｄの間からモータ２の駆動軸５を通す。次に、板材１２の両端１２ａ，１２ｂを当接させ、突出部１２ｃに形成された貫通孔１２ｅと、突出部１２ｄに形成された貫通孔１２ｆにボルト２１を挿入して、該ボルト２１にナット２２を係合させる。ナット２２をボルト２１に完全に締め付けることにより、図４（ａ）および図４（ｂ）に示されるように、板材１２を円筒形状に形成する。
【００２４】
図６に示す符号Ｄ２は、ガード本体１３の内側に長さ調整部材１１が挿入されていない状態で、上側半円筒部材１５と下側半円筒部材１６とをボルト２３およびナット２４で連結したときの、ガード本体１３の内周面１３ａの直径を表す。ガード本体１３の内周面１３ａは、上側半円筒部材１５の内周面１５ｅと、下側半円筒部材１６の内周面１６ｅとで構成される。符号Ｄ２’は、上側半円筒部材１５の内周面１５ｅの最上部と、下側半円筒部材１６の内周面１６ｅの最下部との間の距離を表している。符号Ｄ１は、円筒形状の長さ調整部材１１の外周面１２ｇの直径を表している。この直径Ｄ１がガード本体１３の内周面１３ａの直径Ｄ２よりも僅かに大きくなるように、長さ調整部材１１の板材１２の長さが設定されている。
【００２５】
距離Ｄ２’は、ガード本体１３の内周面１３ａの直径Ｄ２に、上側半円筒部材１５と下側半円筒部材１６との間に形成された鉛直方向の隙間ｔ１の大きさを加算することにより得られる長さである。距離Ｄ２’が長さ調整部材１１の外周面１２ｇの直径Ｄ１よりも大きくなるように隙間ｔ１が設けられた状態で、突出部１２ｃ，１２ｄが形成されていない長さ調整部材１１の一部が、上側半円筒部材１５と下側半円筒部材１６との間に挿入される。この状態で、ナット２４をボルト２３に完全に締め付ける。
【００２６】
ガード本体１３の内周面１３ａの直径Ｄ２は、長さ調整部材１１の外周面１２ｇの直径Ｄ１よりも小さいので、ナット２４をボルト２３に完全に締め付けたときに、長さ調整部材１１の直径を縮めようとする押圧力がガード本体１３の内周面１３ａから長さ調整部材１１の外周面１２ｇに作用する。これにより、長さ調整部材１１に、ガード本体１３を広げようとする反発力が発生し、この反発力によって、長さ調整部材１１はガード本体１３に強固に保持される。すなわち、ガード本体１３の内周面１３ａで長さ調整部材１１の外周面１２ｇを締め付けることにより、長さ調整部材１１は、ガード本体１３に固定される。
【００２７】
長さ調整部材１１の外周面１２ｇはガード本体１３の内周面１３ａによって締め付けられているだけであるので、ボルト２３およびナット２４を一旦緩めることにより、ガード本体１３に対する長さ調整部材１１の相対位置を自在に変更することが可能である。したがって、長さ調整部材１１は、中心軸線ＣＬの方向におけるカップリングガード１の長さを自在に延長する、または縮める（すなわち調整する）ことができる。
【００２８】
図２に示されるように、カップリングガード１は、隙間ｔ２をあけて、モータ２のモータケーシング２ａと対向している。カップリングガード１と、モータ２のモータケーシング２ａとの間の隙間ｔ２の大きさは、好ましくは８ｍｍ以下である。隙間ｔ２の大きさを８ｍｍ以下にすることにより、人間の指が隙間ｔ２を通過することを防止することができる。その結果、人間がモータ２の駆動軸５およびカップリング１０に接触することが防止される。本実施形態によれば、長さ調整部材１１により、カップリングガード１とモータ２のモータケーシング２ａとの間の隙間ｔ２を容易に８ｍｍ以下にすることができる。
【００２９】
長さ調整部材１１がモータケーシング２ａに接触すると、モータ２の振動がカップリングガード１に伝わってしまう。その結果、カップリングガード１が騒音源になるおそれがあり、さらに、長さ調整部材１１および／またはモータケーシング２ａが摩耗するおそれがある。したがって、長さ調整部材１１をモータケーシング２ａに接触させないほうが好ましい。
【００３０】
図２に示されるように、ガード本体１３のポンプ側の開口は、ポンプ３のケーシング３ａに設けられたフランジ３ｂにより塞がれている。これにより、人間がポンプ３の回転軸７およびカップリング１０に接触することが防止される。図示しないが、フランジ３ｂの代わりに、ポンプ３の回転軸７を通すための貫通孔を設けた円板状の閉止板をガイド本体１３に固定してもよい。
【００３１】
上述したように、ガード本体１３に対する長さ調整部材１１の相対位置は自在に変更可能であるため、中心軸線ＣＬの方向におけるカップリングガード１の長さを無段階で調整することができる。さらに、長さ調整部材１１の外周面１２ｇをガード本体１３の内周面１３ａで締め付けるだけの簡易な構成で、中心軸線ＣＬ方向におけるカップリングガード１の長さを調整することができる。長さ調整部材１１に大きな反発力を発生させるために、長さ調整部材１１は、比較的剛性の高い金属から構成されるのが好ましい。
【００３２】
図７に示される、長さ調整部材１１を支持する支持脚部３０を設けてもよい。図７は、長さ調整部材１１を支持する支持脚部３０の斜視図である。支持脚部３０は、支持脚部本体３０ａと固定部３０ｂとを有する。本実施形態の支持脚部本体３０ａは、鉛直方向に延びる平板であり、固定部３０ｂは、支持脚部本体３０ａの下端から水平方向に延びる平板である。本実施形態の支持脚部本体３０ａは、固定部３０ｂと一体に形成されている。固定部３０ｂには、支持脚部３０をベース８に固定するための長孔３０ｃが形成されており、支持脚部本体３０ａには、貫通孔３０ｄが形成されている。
【００３３】
図８は、図７に示される支持脚部３０が長さ調整部材１１に取り付けられた状態を示す模式図である。図８に示されるように、支持脚部３０は、長さ調整部材１１の突出部１２ｃ，１２ｄに固定される。より具体的には、長さ調整部材１１の突出部１２ｃ，１２ｄを当接させた状態で、該突出部１２ｄの外側に支持脚部３０の支持脚部本体３０ａを配置させる。支持脚部本体３０ａに形成された貫通孔３０ｄの位置を突出部１２ｃ，１２ｄに形成された貫通孔１２ｅ，１２ｆの位置にあわせ、この状態で、ボルト２１を貫通孔３０ｄ、貫通孔１２ｆ、および貫通孔１２ｅに挿入し、ナット２２をボルト２１に係合させる。ナット２２をボルト２１に完全に締め付けることにより、支持脚部３０が突出部１２ｃ，１２ｄに固定される。
【００３４】
図８に示されるように、支持脚部３０の長孔３０ｃに挿入されたボルト３３をベース８に形成されたねじ孔に係合させることで、支持脚部３０がベース８に固定される。このように、支持脚部３０で長さ調整部材１１を支持することにより、長さ調整部材１１がより安定してガード本体１３に固定される。特に、長さ調整部材１１がガード本体１３から比較的長く突出している場合に、支持脚部３０によって長さ調整部材１１を支持することにより、長さ調整部材１１がガード本体１３から脱落することを防止することができる。
【００３５】
図９（ａ）は、別の実施形態に係る長さ調整部材１１の正面図であり、図９（ｂ）は、図９（ａ）に示される長さ調整部材１１の側面図であり、図１０は、図９（ａ）および図９（ｂ）に示される長さ調整部材１１を構成する板材を示す模式図である。特に説明しない本実施形態の構成は、上述した実施形態と同様であるので、その重複する説明を省略する。
【００３６】
図９（ａ）および図９（ｂ）に示される長さ調整部材１１は、図４（ａ）および図４（ｂ）に示される長さ調整部材１１と同様に円筒形状を有する。本実施形態の長さ調整部材１１は、円筒形状に曲げられた１枚の板材１２と、板材１２の両端１２ａ，１２ｂにそれぞれ形成された突出部１２ｃ，１２ｄと、これら突出部１２ｃ，１２ｄを互いに固定する固定機構２０とを有している。図１０に示される矩形状の板材１２は円筒形状に曲げられて、板材１２の両端１２ａ，１２ｂは互いに当接している。突出部１２ｃ，１２ｄは、板材１２の両端１２ａ，１２ｂに接続されている。突出部１２ｃ，１２ｄは、板材１２と一体に形成されている。
【００３７】
図９（ａ）および図９（ｂ）に示される固定機構２０は、突出部１２ｃ，１２ｄにそれぞれ形成されたスリット状の切り欠き１２ｈ，１２ｉ（図１０参照）から構成されている。一方の切り欠き１２ｈは、突出部１２ｃの外側の端面から該中心軸線ＣＬと平行に延びており、他方の切り欠き１２ｉは、突出部１２ｃの内側の端面から中心軸線ＣＬと平行に延びている。
【００３８】
図１０に示す矩形状の板材１２を円筒形状に形成する際に、突出部１２ｃ，１２ｄにそれぞれ形成された切り欠き１２ｈ，１２ｉを互いに係合させる。長さ調整部材１１の外周面１２ｇの直径Ｄ１がガード本体１３の内周面１３ａの直径Ｄ２（図６参照）よりも僅かに大きくなるように、板材１２の長さが設定されている。
【００３９】
図９（ａ）および図９（ｂ）に示される長さ調整部材１１も、図４（ａ）および図４（ｂ）に示される長さ調整部材１１と同様に、任意の位置でガード本体１３に固定されることができる。したがって、中心軸線ＣＬの方向におけるカップリングガード１の長さを無段階で調整することができる。さらに、長さ調整部材１１の外周面１２ｇをガード本体１３の内周面１３ａで締め付けるだけの簡易な構成で、中心軸線ＣＬ方向におけるカップリングガード１の長さを調整することができる。
【００４０】
図１１（ａ）は、さらに別の実施形態に係る長さ調整部材１１の正面図であり、図１１（ｂ）は、図１１（ａ）に示される長さ調整部材１１の側面図である。図１１（ａ）および図１１（ｂ）に示される長さ調整部材１１は、同一の形状を有する２つの分割体４１，４２によって、円筒形状に形成されている。一方の分割体４１は半円筒形状を有し、同様に、他方の分割体４２は半円筒形状を有する。分割体４１は、半円筒形状に曲げられた１枚の板材４３と、板材４３の両端４３ａ，４３ｂにそれぞれ形成された突出部４３ｃ，４３ｄを有する。突出部４３ｃ，４３ｄは、板材４３の両端４３ａ，４３ｂに接続されており、突出部４３ｃ，４３ｄは、板材４３と一体に形成されている。同様に、分割体４２は、半円筒形状に曲げられた１枚の板材４４と、板材４４の両端４４ａ，４４ｂにそれぞれ形成された突出部４４ｃ，４４ｄを有する。突出部４４ｃ，４４ｄは、板材４４の両端４４ａ，４４ｂに接続されており、突出部４４ｃ，４４ｄは、板材４４と一体に形成されている。
【００４１】
長さ調整部材１１は、板材４３の一方の端部４３ａに形成された突出部４３ｃと、板材４４の一方の端部４４ａに形成された突出部４４ｃとを固定する固定機構２０を有する。同様に、長さ調整部材１１は、板材４３の他方の端部４３ｂに形成された突出部４３ｄと、板材４４の他方の端部４４ｂに形成された突出部４４ｄとを固定する固定機構２０を有する。これら２つの固定機構２０は、同一の構成を有するので、板材４３の一方の端部４３ａに形成された突出部４３ｃと、板材４４の一方の端部４４ａに形成された突出部４４ｃとを固定する固定機構２０を説明することで、板材４３の他方の端部４３ｂに形成された突出部４３ｄと、板材４４の他方の端部４４ｂに形成された突出部４４ｄとを固定する固定機構２０の説明を省略する。
【００４２】
図１１（ａ）および図１１（ｂ）に示されるように、突出部４３ｃは、半円筒形状に曲げられた板材４３およびガード本体１３の径方向外側に向かって延びている。突出部４４ｃは、半円筒形状に曲げられた板材４４およびガード本体１３の径方向外側に向かって延びている。突出部４３ｃおよび突出部４４ｃは、互いに接触している。固定機構２０は、分割体４１の突出部４３ｃと、分割体４２の突出部４４ｃにそれぞれ形成された貫通孔に挿入されるボルト２１と、該ボルト２１に係合するナット２２とを備えている。
【００４３】
図１１（ｂ）に示されるように、突出部４３ｃ，４４ｃの、中心軸線ＣＬの方向の長さＬ２は、板材４３，４４の、中心軸線ＣＬの方向の長さＬ１よりも短い。突出部４３ｃ，４４ｃが形成されていない板材４３，４４の部分がガード本体１３に挿入され、保持される部分であり、その長さＬ３は、カップリングガード１の長さを調整できる距離に相当する。
【００４４】
円筒形状の長さ調整部材１１を形成する際に、突出部４３ｃ，４４ｃは、外側に折り曲げられて、互いに接触し、同様に、突出部４３ｄ，４４ｄは、外側に折り曲げられて、互いに接触する（図１１（ａ）参照）。突出部４３ｃと突出部４４ｃが接触しているとき、一方の分割体４１の端部４３ａは、他方の分割体４２の端部４４ａに当接している。同様に、突出部４３ｄと突出部４４ｄが接触しているとき、一方の分割体４１の端部４３ｂは、他方の分割体４２の端部４４ｂに当接している。突出部４３ｃに形成された貫通孔は突出部４４ｃに形成された貫通孔と同じ位置にあり、ボルト２１をこれら貫通孔に挿入することができる。同様に、突出部４３ｄに形成された貫通孔は突出部４４ｄに形成された貫通孔と同じ位置にあり、ボルト２１をこれら貫通孔に挿入することができる。これら貫通孔に挿入されたボルト２１をナット２２で締め付けることにより、分割体４１と分割体４２が連結され、円筒形状の長さ調整部材１１が形成される。
【００４５】
長さ調整部材１１の外周面は、分割体４１の外周面４３ｅと分割体４２の外周面４４ｅとで構成される。長さ調整部材１１の外周面４３ｅ，４４ｅの直径Ｄ１がガード本体１３の内周面１３ａの直径Ｄ２（図６参照）よりも僅かに大きくなるように、板材４３，４４の長さが設定されている。
【００４６】
図１１（ａ）および図１１（ｂ）に示される円筒形状の長さ調整部材１１も、図４（ａ）および図４（ｂ）に示される長さ調整部材１１と同様に、任意の位置でガード本体１３に固定されることができる。したがって、中心軸線ＣＬの方向におけるカップリングガード１の長さを無段階で調整することができる。さらに、長さ調整部材１１の外周面４３ｅ，４４ｅをガード本体１３の内周面１３ａで締め付けるだけの簡易な構成で、中心軸線ＣＬ方向におけるカップリングガード１の長さを調整することができる。
【００４７】
円筒形状の長さ調整部材１１を、３つ以上の分割体から形成してもよい。３つ以上の分割体から長さ調整部材１１を形成する場合も、隣接する分割体の端部は、上述した固定機構２０によって固定され、３つ以上の分割体が連結されることにより、円筒形状の長さ調整部材１１が形成される。
【００４８】
上述した実施形態は、本発明が属する技術分野における通常の知識を有する者が本発明を実施できることを目的として記載されたものである。上記実施形態の種々の変形例は、当業者であれば当然になしうることであり、本発明の技術的思想は他の実施形態にも適用しうることである。したがって、本発明は、記載された実施形態に限定されることはなく、特許請求の範囲によって定義される技術的思想に従った最も広い範囲に解釈されるものである。
【符号の説明】
【００４９】
１    カップリングガード
２    モータ
３    ポンプ
５    駆動軸
７    回転軸
８    ベース
１０    カップリング
１１    長さ調整部材
１２    板材
１３    ガード本体
１５    上側半円筒部材
１６    下側半円筒部材
１７    ガード脚部
２０    固定機構
２１    ボルト
２２    ナット
２３    ボルト
２４    ナット
２８    ボルト
３０    支持脚部
３３    ボルト
４１    分割体
４２    分割体
４３    板材
４４    板材
１００    ポンプ装置
【図１】
2016205445.tif 000003
【図２】
2016205445.tif 000004
【図３】
2016205445.tif 000005
【図４】
2016205445.tif 000006
【図５】
2016205445.tif 000007
【図６】
2016205445.tif 000008
【図７】
2016205445.tif 000009
【図８】
2016205445.tif 000010
【図９】
2016205445.tif 000011
【図１０】
2016205445.tif 000012
【図１１】
2016205445.tif 000013